(57)【要約】【課題】カレンダーとして使用する際はメッセージ記載欄をカレンダー表面に露出させる事無く、ハガキへと変形した際は、メッセージ記載欄をハガキの裏面に位置させて紙面を有効に活用した構成の絵ハガキを形成することができる、絵ハガキとして利用できるカレンダーを提供する。【解決手段】カレンダー用紙の一面側に、意匠絵柄欄と、カレンダー表示欄とを備え、他面側に、前記意匠絵柄欄の裏側に位置させた宛先記載欄と、前記カレンダー表示欄の裏側に位置させたメッセージ記載欄と、前記宛先記載欄と前記メッセージ記載欄との間に紙面を横断させて設けた折指示線と、を備えることとした。【選択図】図２
0003127999.tif 000002
【実用新案登録請求の範囲】
【請求項１】
カレンダー用紙の一面側に、意匠絵柄欄と、カレンダー表示欄とを備え、他面側に、前記意匠絵柄欄の裏側に位置させた宛先記載欄と、前記カレンダー表示欄の裏側に位置させたメッセージ記載欄と、前記宛先記載欄と前記メッセージ記載欄との間に紙面を横断させて設けた折指示線と、を備えた絵ハガキとして利用できるカレンダーであって、
前記カレンダー用紙は、前記折指示線に従って前記カレンダー表示欄が内側となるように折り曲げることによって、前記意匠絵柄の少なくとも一部を露出させながら前記カレンダー表示欄を被覆し、ハガキの規定サイズに変形可能としたことを特徴とする絵ハガキとして利用できるカレンダー。
【請求項２】
前記カレンダー用紙は、その他面側の端部に、切除可能なスペース部を備えたことを特徴とする請求項１記載の絵ハガキとして利用できるカレンダー。
【請求項３】
前記メッセージ記載欄は、前記カレンダー用紙を前記折指示線に従って前記カレンダー表示欄が内側となるように折り曲げたとき、前記意匠絵柄欄と組み合わさることで新たな意匠絵柄を形成する第２の意匠絵柄欄を備えることを特徴とする請求項１又は請求項２に記載の絵ハガキとして利用できるカレンダー。
【考案の詳細な説明】
【技術分野】
【０００１】
本考案は、絵ハガキとして利用できるカレンダーに関する。
【背景技術】
【０００２】
従来の一般的な懸垂型の月めくりのカレンダーは、各月が過ぎる毎に同月を表示するカレンダー用紙を切り離し、次月を表示するカレンダー用紙を露出させて使用するようにした構成である。
【０００３】
このようなカレンダーには、絵画や写真等、意匠性の高い意匠絵柄が施されているものが多いが、各表示月が終わる毎に切り離された各カレンダー用紙には他に利用用途が無く、せっかくの意匠絵柄が短期間しか活用されず破棄されているという状態であった。
【０００４】
そこで、各カレンダー用紙に施された意匠絵柄の部分を囲うように、郵便ハガキの規定サイズに準じたサイズでミシン目を枠状に施し、同ミシン目に従って切り抜くことによりカレンダーの意匠絵柄を絵ハガキとして使用できるようにした絵ハガキとして利用できるカレンダーが提案されている。（例えば、特許文献１参照。）
【特許文献１】特開平１１−２０８１４８号公報
【考案の開示】
【考案が解決しようとする課題】
【０００５】
しかしながら、上記特許文献１のようなカレンダーは、カレンダー用紙に施してある意匠絵柄をそのまま絵ハガキの裏面として使用するようにしたものであるため、受け取り主に送るメッセージを添えたい場合、意匠絵柄を備えるハガキの裏面にはメッセージを記載するスペースが無く、ハガキの表面にメッセージ記載欄を設けるほか無かった。
【０００６】
ここで、絵ハガキの裏面にメッセージ記載欄を設けようとすると、カレンダーとして使用する際にメッセージ記載欄がカレンダーの表面に露出するため不恰好であるし、またハガキの表面にメッセージ記載欄を設ける場合には宛先記載欄の下方に設けることとなって宛先を記載するスペースが狭められ、特に縦書きで宛先を記載する場合には不都合であるという問題が生じていた。
【０００７】
本考案は、斯かる事情に鑑みてなされたものであって、カレンダーとして使用する際はメッセージ記載欄をカレンダー表面に露出させる事無く、ハガキへと変形した際は、メッセージ記載欄をハガキ紙面において効果的に配置させることができて紙面を有効に活用した構成の絵ハガキを形成することができる、絵ハガキとして利用できるカレンダーを提供する。
【課題を解決するための手段】
【０００８】
そこで、請求項１に係る本考案において、カレンダー用紙の一面側に、意匠絵柄欄と、カレンダー表示欄とを備え、他面側に、前記意匠絵柄欄の裏側に位置させた宛先記載欄と、前記カレンダー表示欄の裏側に位置させたメッセージ記載欄と、前記宛先記載欄と前記メッセージ記載欄との間に紙面を横断させて設けた折指示線と、を備えた絵ハガキとして利用できるカレンダーであって、前記カレンダー用紙は、前記折指示線に従って前記カレンダー表示欄が内側となるように折り曲げることによって、前記意匠絵柄の少なくとも一部を露出させながら前記カレンダー表示欄を被覆し、ハガキの規定サイズに変形可能としたことを特徴とする絵ハガキとして利用できるカレンダーとした。
【０００９】
また、請求項２に係る本考案において、前記カレンダー用紙は、その他面側の端部に、切除可能なスペース部を備えたことを特徴とした。
【００１０】
また、請求項３に記載の本考案において、前記メッセージ記載欄は、前記カレンダー用紙を前記折指示線に従って前記カレンダー表示欄が内側となるように折り曲げたとき、前記意匠絵柄欄と組み合わさることで新たな意匠絵柄を形成する第２の意匠絵柄欄を備えることを特徴とした。
【考案の効果】
【００１１】
請求項１記載の本考案では、カレンダー用紙の一面側に、意匠絵柄欄と、カレンダー表示欄とを備え、他面側に、前記意匠絵柄欄の裏側に位置させた宛先記載欄と、前記カレンダー表示欄の裏側に位置させたメッセージ記載欄と、前記宛先記載欄と前記メッセージ記載欄との間に紙面を横断させて設けた折指示線と、を備えた絵ハガキとして利用できるカレンダーであって、前記カレンダー用紙は、前記折指示線に従って前記カレンダー表示欄が内側となるように折り曲げることによって、前記意匠絵柄の少なくとも一部を露出させながら前記カレンダー表示欄を被覆し、ハガキの規定サイズに変形可能としたことを特徴としたため、本来なら破棄されるような使用済みのカレンダー用紙をハガキへと変形することが可能であるし、カレンダーとして使用する際はメッセージ記載欄をカレンダー表面に露出させる事無く、ハガキへ変形する際は折指示線にてカレンダー用紙を折り曲げることでメッセージ記載欄を宛先記載欄とは逆面のハガキの裏面に位置させる事ができ、メッセージ記載欄をハガキ紙面において効果的に配置させることができて紙面を有効に活用した構成の絵ハガキを形成することができる。
【００１２】
また、請求項２記載の本考案では、前前記カレンダー用紙は、その他面側の端部に、切除可能なスペース部を備えたことを特徴としたため、カレンダー用紙は、その紙面においてカレンダー表示欄を大きく位置させたとしても、このスペース部の幅を調節することで、折指示線にて折り曲げてハガキの略規定サイズに変形可能な大きさとする事ができて、ハガキへの変形時にメッセージ記載欄を確実にハガキの裏面に位置させる事ができて、メッセージ記載欄をハガキ紙面において効果的に配置させることができて紙面を有効に活用した構成の絵ハガキを形成することができる。
【００１３】
また、請求項３記載の本考案では、前記メッセージ記載欄は、前記カレンダー用紙を前記折指示線に従って前記カレンダー表示欄が内側となるように折り曲げたとき、前記意匠絵柄欄と組み合わさることで新たな意匠絵柄を形成する第２の意匠絵柄欄を備えることを特徴としたため、カレンダーとして使用する際に目にしていた意匠絵柄を用いながらも別の新たな意匠絵柄を備えた絵ハガキを形成することができて絵ハガキを送る楽しみを向上させる事ができるし、メッセージ記載欄を新たな意匠絵柄と共にハガキの裏面に位置させる事ができて、ハガキ両面のスペースを有効に活用することができる。
【考案を実施するための最良の形態】
【００１４】
以下、本発明に係る最良の実施の形態について、図面を参照して説明する。
【００１５】
図１は、本実施形態に係る絵ハガキとして利用できるカレンダーの斜視説明図、図２は、本実施形態に係る絵ハガキとして利用できるカレンダーを構成するカレンダー用紙の正面図及び背面図である。
【００１６】
図１に示すように、本実施形態に係る絵ハガキとして利用できるカレンダーＣは、表紙部１と、多少の厚みを有する紙素材等で形成し、４月〜３月の１２ヶ月の月暦のうちそれぞれ１ヶ月分の月暦を表記した１２枚のカレンダー用紙３ａ〜３ｌと、から構成しており、これらを順番に重ね合わせると共に上部を綴り部２で綴じ込んで冊子状に形成したカレンダーである。
【００１７】
表紙部１及び各カレンダー用紙３ａ〜３ｌは、各々縦長方形状に形成しており、その上端部には、表紙部１及びカレンダー用紙３を横断させて設けて、表紙部１及びカレンダー用紙３を綴り部２から切り離し自在であるようにしたミシン目４を備えている。
【００１８】
図２（ａ），（ｂ）は、カレンダー用紙３の例として１０月の月暦を表記したカレンダー用紙３ｇを示している。図２（ａ），（ｂ）に示すように、カレンダー用紙３は、その表面に、写真、絵、又はイラスト等の意匠絵柄が表示された意匠絵柄欄５と、意匠絵柄欄５の下方に１か月分の月暦が表示されたカレンダー表示欄６とを備えている。
【００１９】
また、カレンダー用紙３の裏面であって意匠絵柄欄５の真裏の位置には、宛先記載欄７を設けている。宛先記載欄７は、郵便番号記載枠８と、切手貼付枠９と、を備えており、この宛先記載欄７の下方には、受け取り主に送るメッセージ等を記載するためのメッセージ記載欄１０を設けている。そして、宛先記載欄７とメッセージ記載欄１０の間には、カレンダー用紙３を横断させて設けた折指示線１１を備えている。
【００２０】
メッセージ記載欄１０の下端部には、カレンダー用紙３を横断させて設けた切取り指示線１３を備えると共に、同切取り指示線１３の下方には、本絵ハガキとして利用できるカレンダーＣのカレンダー用紙３から絵ハガキへの変形方法を示す手順説明欄や、企業広告等を載せる広告欄等を備える事ができるスペース部１４を設け、絵ハガキへの変形時にはこのスペース部１４を切取り指示線１３により切除する事ができるようにしている。
【００２１】
本絵ハガキとして利用できるカレンダーＣは、月めくりのカレンダーとして壁に掛けて使用し、表示の月暦を過ぎる毎に切り離される各カレンダー用紙３を、絵ハガキとして再活用する事ができる。以下にその手順を示す。
【００２２】
図３（ａ）〜（ｃ）は、カレンダー用紙３ｇを絵ハガキへ変形させる手順を示す図である。図３（ａ）に示すように、ミシン目４によって綴り部２からカレンダー用紙３ｇを切り離した後、切取り指示線１３に従ってスペース部１４を切落とす。次に図３(ｂ)（ｃ）に示すように、カレンダー表示欄６が内側に位置するよう折指示線１１に従ってカレンダー用紙３ｇを折り曲げると共に、カレンダー用紙３ｇ表面の折指示線１１から切取り指示線１３の間の紙面に糊付け等し、カレンダー表示欄６を隠すように接着する。
【００２３】
カレンダー用紙３は、このように変形されることで、図４（ｂ）に示すようにハガキの裏面に意匠絵柄欄５及びメッセージ記載欄１０が位置すると共に、図４（ａ）に示すようにハガキの表面には宛先記載欄７が位置し、郵便ハガキの規定サイズである略１５．４×１０．７ｃｍの矩形状に形成される。このように簡単な手順でカレンダー用紙３を、カレンダー用紙３に施した意匠絵柄欄５を活用した絵ハガキとして形成することができ、切手を貼ればそのまま絵ハガキとして投函する事ができるようにしている。
【００２４】
なお、本実施形態においては、１枚のカレンダー用紙に１ヶ月分の月暦を表示し、１２枚のカレンダー用紙を用いて１年分の月暦を備えたカレンダーとして構成するようにしているが、これに限られず、１枚のカレンダー用紙に数か月分の月暦を表記しても良く、また１年分ではなく数年分の月暦を備えるようにしたカレンダーとして構成するようにしても良い。
【００２５】
以下、本考案に係る第２実施形態について図面を参照して説明する。
【００２６】
図５（ａ）は、第２実施形態に係るカレンダー用紙２３の背面図、図５（ｂ）は、第２実施形態に係るカレンダー用紙２３の正面図、図６（ａ）は、カレンダー用紙２３を絵ハガキへ変形した状態を示す背面図、図６（ｂ）は、カレンダー用紙２３を絵ハガキへ変形した状態を示す正面図である。
【００２７】
第２実施形態に係る絵ハガキとして利用できるカレンダーＣは、６枚のカレンダー用紙２３ａ〜２３ｆを備えたカレンダーであって、同カレンダー用紙２３の上下両端部を折り返してハガキの規定サイズに変形させると共に意匠絵柄を露出させ、絵ハガキとして利用できるようにしたカレンダーである。
【００２８】
図５（ａ）（ｂ）は、カレンダー用紙２３のうち、例として８，９月の２ヶ月分の月暦を表記したカレンダー用紙２３ｃを示している。図５に示すように、カレンダー用紙２３ｃは、その表面の略中央部に意匠絵柄欄２５を備え、意匠絵柄欄２５の上下両部にそれぞれカレンダー表示欄２６ａ、２６ｂを備えている。このような配置にすることで、上下のカレンダー表示欄２６ａ、２６ｂにそれぞれ１ヵ月分の月暦を表記して、１枚のカレンダー用紙２３に２ヵ月分の月暦をより見易く表記する事ができる。もちろん２ヶ月分の月暦を表示することに限られることはなく、１ヵ月分或いは２ヶ月以上の複数月を表記するようにしても良い。
【００２９】
カレンダー用紙２３ｃの裏面には、略中央部に宛先記載欄２７を備えると共にその上下両部にそれぞれメッセージ記載欄２０ａ、２０ｂを備えている。そして、それぞれのメッセージ記載欄２０ａ、２０ｂと宛先記載欄２７との間にはそれぞれ折指示線２１ａ、２１ｂを設けている。
【００３０】
この折指示線２１ａ、２１ｂに従ってカレンダー表示欄２６が内側となるようにカレンダー用紙２３を折り曲げ、表面側で接着すると、カレンダー用紙２３ｃは、図６に示すように、ハガキの裏面には意匠絵柄欄２５が露出されて同意匠絵柄欄２５の上下にメッセージ記載欄２０ａ、２０ｂが位置し、またハガキの表面には宛先記載欄２７が位置して、略ハガキの規定サイズに形成される。このように簡単な手順でカレンダー用紙を絵ハガキへ変形する事ができ、切手を貼ればこのまま絵ハガキとして投函できるようにしている。
【００３１】
以下、本考案に係る第３実施形態について図面を参照して説明する。
【００３２】
図７（ａ）は、第３実施形態に係るカレンダー用紙２３の背面図、図７（ｂ）は、第３実施形態に係るカレンダー用紙３３の正面図、図８（ａ）は、カレンダー用紙３３を絵ハガキへ変形した状態を示す背面図、図８（ｂ）は、カレンダー用紙３３を絵ハガキへ変形した状態を示す正面図である。
【００３３】
第３実施形態に係る絵ハガキとして利用できるカレンダーＣは、１２枚のカレンダー用紙３３ａ〜３３ｌを備えたカレンダーであって、カレンダー用紙３３に予め施してある意匠絵柄欄３５を利用すると共に変形して新たな意匠絵柄欄３８を形成し、この新たな意匠絵柄欄３８を絵ハガキとして利用できるようにしたカレンダーである。
【００３４】
図７は、カレンダー用紙３３のうち例として８月の月暦を表記したカレンダー用紙３３ｅを示したものである。図７に示すように、カレンダー用紙３３ｅは、その表面に意匠絵柄欄３５と、意匠絵柄欄３５の下方に設けたカレンダー表示欄３６とを備え、裏面には、宛先記載欄３７とメッセージ記載欄３０とを備えて、宛先記載欄３７とメッセージ記載欄３０との間には折指示線３１を設けている。この折指示線３１に従ってカレンダー表示欄３６が内側となるようにカレンダー用紙３３ｅを折り曲げることで、ハガキの裏面には意匠絵柄欄３５の一部が露出すると共にメッセージ記載欄３０が位置し、ハガキの表面には宛先記載欄３７が位置して、カレンダー用紙３３ｅをハガキの規定サイズに形成し、絵ハガキとして利用できるようにしている。
【００３５】
ここで、メッセージ記載欄３０は、図７に示すように意匠絵柄欄３５とは別の第２の意匠絵柄３２を備えており、折指示線３１に従ってカレンダー用紙３３ｅを折り曲げることで意匠絵柄欄３５を一部被覆しながら重なって位置する。このとき、メッセージ記載欄３０に備えられた第２の意匠絵柄３２は、意匠絵柄欄３５に備えられた意匠絵柄と組み合わさり、図８に示す新たな一つの意匠絵柄欄３８を形成する構成としている。
【００３６】
このような構成とすることで、本絵ハガキとして利用できるカレンダーＣをカレンダーとして使用した時に目にした意匠絵柄欄３５を利用しながらも、この意匠絵柄欄３５とは別の新たな意匠絵柄欄３８を備えた絵ハガキを形成できるので、カレンダーから絵ハガキへの変形作業を楽しみながら行なう事ができるし、新鮮な気持ちで絵ハガキを送る事ができて、使用済みのカレンダーを用いながらも完成度の高い絵ハガキを形成する事ができる。
【００３７】
なお、本絵ハガキとして利用できるカレンダーは、上記のような冊子状や懸垂型のカレンダーの形態に限定されないことは言うまでも無く、シート状や卓上型の形態とすることもできる。
【００３８】
図９、１０は、第４実施形態に係る絵ハガキとして利用できるカレンダーＣ’を示しており、この絵ハガキとして利用できるカレンダーＣ’は、卓上で使用できる構成のカレンダーとしている。図９は、この絵ハガキとして利用できるカレンダーＣ’の斜視図であり、図１０は、同カレンダーＣ’を構成するカレンダー用紙を絵ハガキへ変形させる過程を示した説明図である。
【００３９】
図９に示すように、この絵ハガキとして利用できるカレンダーＣ’は、各々シート状に形成したカレンダー用紙２３を複数枚備えることとして、これらカレンダー用紙２３を台座２４に設置することで卓上等に起立可能に構成したカレンダーである。
【００４０】
図９、図１０に示すように、カレンダー用紙２３は、一面側にカレンダー表示欄２６と、意匠絵柄欄２５とを備えており、その裏面側に、宛先記載欄２７と、メッセージ記載欄２８と、宛先記載欄２７とメッセージ記載欄２８との間に紙面を横断させて設けた折指示線２９とを備えている。この折指示線２９は、同線に従って紙面を折り曲げることでカレンダー表示欄２６が全て被覆されるのに十分である位置に設けるようにしている。
【００４１】
図１０に示すように、カレンダー用紙２３を、折指示線２９に従ってカレンダー表示欄が内側となるよう折り曲げると、ハガキの略規定サイズに形成することができ、さらにカレンダー表示欄２６を被覆しながら意匠絵柄欄２５を露出することで、カレンダーに施された意匠絵柄を利用した絵ハガキとしてそのまま使用することができる。ハガキの裏面には意匠絵柄欄２５と共にメッセージ記載欄２８が位置し、ハガキの表面には宛先記載欄２７が位置することとなる。
【００４２】
このように、本考案に係る絵ハガキとして利用できるカレンダーは、技術思想の範囲内で種々の形態に変形可能であって、カレンダーとして利用した後のカレンダー用紙を、そのカレンダーに備えられた意匠絵柄を有効に利用した絵ハガキとして利用でき、しかも、カレンダー用紙に設けた折指示線に従って紙面を折り曲げることで、メッセージ記載欄をハガキ紙面において効果的な配置とすることができて、紙面を有効に活用した構成の絵ハガキを形成することができるのである。
【図面の簡単な説明】
【００４３】
【図１】本実施形態に係る絵ハガキとして利用できるカレンダーの斜視説明図である。
【図２】本実施形態に係る絵ハガキとして利用できるカレンダーを構成するカレンダー用紙の正面図及び背面図である。
【図３】本実施形態に係るカレンダー用紙を絵ハガキへ変形させる過程を示す説明図である。
【図４】本実施形態に係るカレンダー用紙を絵ハガキへ変形させた状態を示す正面図及び背面図である。
【図５】第２実施形態に係る絵ハガキとして利用できるカレンダーを構成するカレンダー用紙の正面図及び背面図である。
【図６】第２実施形態に係るカレンダー用紙を絵ハガキへ変形させた状態を示す正面図及び背面図である。
【図７】第３実施形態に係る絵ハガキとして利用できるカレンダーを構成するカレンダー用紙の正面図及び背面図である。
【図８】第３実施形態に係るカレンダー用紙を絵ハガキへ変形させた状態を示す正面図及び背面図である。
【図９】第４実施形態に係る絵ハガキとして利用できるカレンダーを示す斜視図である。
【図１０】第４実施形態に係るカレンダー用紙を絵ハガキへ変形させる過程を示す説明図である。
【符号の説明】
【００４４】
Ｃ  カレンダー
１  表紙部
２  綴り部
３  カレンダー用紙
４  ミシン目
５  意匠絵柄欄
６  カレンダー表示欄
７  宛先記載欄
８  郵便番号記載枠
９  切手貼付枠
１０  メッセージ記載欄
１１  指示線
１２  貫通孔
１３  切取り指示線
【図１】
0003127999.tif 000003
【図２】
0003127999.tif 000004
【図３】
0003127999.tif 000005
【図４】
0003127999.tif 000006
【図５】
0003127999.tif 000007
【図６】
0003127999.tif 000008
【図７】
0003127999.tif 000009
【図８】
0003127999.tif 000010
【図９】
0003127999.tif 000011
【図１０】
0003127999.tif 000012